(57)【要約】      （修正有）【課題】構築物の床を構築に関わる、鋼管ポスト等の仮設材を必要としない床を形成する床板ラチス梁を提供する。【解決手段】連結部両側面に溝を設けた床板２の上に、間隔を開けて補強床板３を併置して、床板２と補強床板３の両側面を鎹状のラチス部材４でラチス梁状に固定して成る床補強部材A、床補強部材Aと床板２を溝板５とビスを用いて連結敷設して床の型枠を構成する。床の型枠内にコンクリート７を打設して、コンクリート７の凝固によってコンクリート床盤Cが形成される。【選択図】図１１
2019035250.tif 000002
【特許請求の範囲】
【請求項１】
連結部両側面に溝１を設けた床板２の上に、間隔を開けて補強床板３を併置して、床板２と補強床板３の両側面を鎹状のラチス部材４でラチス梁状に固定して成る床補強部材A、該床補強部材Aと床板２を溝板５とビス６を用いて連結敷設して床の型枠Bを構成する。該床の型枠B内にコンクリート７を打設して、コンクリート７の凝固によってコンクリート床盤Cが形成されることを特徴とする床を形成する床板ラチス梁。
【請求項２】
前記、連結部両側面に溝１を設けた床板２に断熱材８を添え張りして成る断熱床板Dの上に間隔を開けて補強床板３を併置して、断熱床板Dと補強床板３の両側面を鎹状のラチス部材４でラチス梁状に固定して成る断熱床補強部材E、該断熱床補強部材Eと床板２を溝板５とビス６を用いて連結敷設して断熱床の型枠Iを構成する。該断熱床の型枠I内にコンクリート７を打設して、コンクリート７の凝固によって、断熱コンクリート床盤Fが形成されることを特徴とする請求項１に記載の床を形成する床板ラチス梁。
【請求項３】
前記、連結部両側面に溝１を設けた床板２と補強床板３で断熱材８を挟み、床板２と補強床板３の両側面を鎹状のラチス部材４でラチス梁状に固定して成る断熱床部材G、該断熱床部材Gを溝板５とビス６を用いて連結敷設して断熱床盤Hが形成されることを特徴とする請求項１又は２に記載の床を形成する床板ラチス梁。
【発明の詳細な説明】
【技術分野】
【０００１】
本発明は、構築物の床を形成する床板ラチス梁に関する。
【背景技術】
【０００２】
従来、コンクリート構築物等の床を構築する場合、膨大な数の鋼管ポストを林立配置して、バタ角、鋼管等を用いて根太組をなし、ベニヤ型枠を敷設してスラブ型枠組を形成して、スラブの上下調整は鋼管ポストのジャッキで上下させて調整をしている。
【０００３】
この、林立配置した鋼管ポストの中での水平機の操作は困難で、スラブの上下調整は正確性を欠いている。しかも、壁、スラブの型枠が建て込まれた室内は暗く水平機の操作をより困難にしている。
【０００４】
さらに、大量の鋼管ポスト、バタ角、鋼管等仮設材の搬入や搬出は重労働である。しかも、大量の鋼管ポスト、バタ角、鋼管等を用いてのスラブの型枠組は、熟練した技能を必要としていると共にスラブ型枠の解体は危険を伴っている。
【０００５】
また、鋼管ポストを使用しない工法として、長さの調整が可能なペコビームなどが使用されているが、それら仮設梁の機能は、仮設梁を架ける梁の間隔に合わせて長さを調整する機能と、荷重を支えるだけの機能である。
【先行技術文献】
【特許文献】
【０００６】
【特許文献１】無し
【０００７】
【非特許文献１】無し
【発明の開示】
【発明が解決しようとする課題】
【０００８】
従来のコンクリート床盤を形成するには大半が解体することを目的としたもので、大量の仮設材と組み手間・養生と工期・解体・運搬・手入れ・保管等、鉄筋コンクリート構築物を構築する上で多くの改善しなければならない課題があった。
【０００９】
また、外部に面するコンクリート床盤のコンクリートの結露問題も大きな課題である。
【００１０】
さらに、 従来の鋼管ポストを利用した場合の、スラブ型枠のレベル調整は、林立する個々の鋼管ポストでレベルの調整をすることは可能であるが、林立する鋼管ポストの中でレベルを見るのは困難である。
【００１１】
寒冷地や灼熱地の構築物については、外壁に面する床の断熱構造は最重要課題である。
【００１２】
本発明は、上記の課題に鑑みて、２枚の床板と鎹状のラチス部材でトラス加工した床補強部材で床盤を構成することで、仮設材や床を支える鋼管ポストが不要となるとともに、スラブ型枠を上下させる調整をも必要としない工法の床を形成する床板ラチス梁を提供するものである。
【課題を解決するための手段】
【００１３】
この発明は、上記の課題を解決するためになされたもので、連結部両側面に溝１を設けた床板２の上に、間隔を開けて補強床板３を併置して、床板２と補強床板３の両側面を鎹状のラチス部材４でラチス梁状に固定して成る床補強部材A、該床補強部材Aと床板２を溝板５とビス６を用いて連結敷設して床の型枠Bを構成する。該床の型枠B内にコンクリート７を打設して、コンクリート７の凝固によってコンクリート床盤Cが形成されることを特徴とする床を形成する床板ラチス梁（請求項１）を提供する。
【００１４】
前記、連結部両側面に溝１を設けた床板２に断熱材８を添え張りして成る断熱床板Dの上に間隔を開けて補強床板３を併置して、断熱床板Dと補強床板３の両側面を鎹状のラチス部材４でラチス梁状に固定して成る断熱床補強部材E、該断熱床補強部材Eと床板２を溝板５とビス６を用いて連結敷設して断熱床の型枠Iを構成する。該断熱床の型枠I内にコンクリート７を打設して、コンクリート７の凝固によって、断熱コンクリート床盤Fが形成されることを特徴とする請求項１に記載の床を形成する床板ラチス梁（請求項２）を提供する。
【００１５】
前記、連結部両側面に溝１を設けた床板２と補強床板３で断熱材８を挟み、床板２と補強床板３の両側面を鎹状のラチス部材４でラチス梁状に固定して成る断熱床部材G、該断熱床部材Gを溝板５とビス６を用いて連結敷設して断熱床盤Hが形成されることを特徴とする請求項１又は２に記載の床を形成する床板ラチス梁（請求項３）を提供する。
【発明の効果】
【００１６】
本発明の床を形成する床板ラチス梁の特筆すべき大きな効果を列挙する。
イ）コンクリート床盤構築の大量の仮設材と組み手間・養生工期・解体・運搬・手入れ・保管等が不要となる効果。
ロ）コンクリート床盤構築により大幅な経費が削減できる効果。
ハ）コンクリート床盤構築により容易な施工性と大幅に工期が短縮できる効果。
二）コンクリート床盤構築により複数階のコンクリートが一日で打設ができる効果。
ホ）断熱床盤構築により寒冷地や灼熱地に対応可能な断熱床盤が迅速に構築できる効果。
【００１７】
以上で説明したように、請求項１に係る発明によれば、連結部両側面に溝を設けた床板の上に、間隔を開けて補強床板を併置して、床板と補強床板の両側面を鎹状のラチス部材でラチス梁状に固定して成る床補強部材、該床補強部材と床板を溝板とビスを用いて連結敷設して床の型枠を構成する。該床の型枠内にコンクリートを打設して、コンクリートの凝固によってコンクリート床盤を形成することで、コンクリート床盤が迅速に構築できる効果が得られる。
【００１８】
請求項２に係る発明によれば、前記、連結部両側面に溝を設けた床板に断熱材を添え張りして成る断熱床板の上に間隔を開けて補強床板を併置して、断熱床板と補強床板の両側面を鎹状のラチス部材でラチス梁状に固定して成る断熱床補強部材、該断熱床補強部材と床板を溝板とビスを用いて連結敷設して断熱床の型枠を構成する。該断熱床の型枠内にコンクリート７を打設して、コンクリートの凝固によって、断熱コンクリート床盤を形成することで、コンクリート床盤の結露を防止する断熱コンクリート床盤が迅速に構築できる効果が得られる。
【００１９】
請求項３に係る発明によれば、前記、連結部両側面に溝を設けた床板と補強床板で断熱材を挟み、床板と補強床板の両側面を鎹状のラチス部材でラチス梁状に固定して成る断熱床部材、該断熱床部材を溝板とビスを用いて連結敷設して断熱床盤を形成することで、寒冷地や灼熱地にも対応可能な断熱床盤が迅速に構築できる効果が得られる。
【発明を実施するための最良の形態】
【００２０】
以下に、本発明の実施形態は添付図面を参照しつつ詳細に説明する。
【００２１】
図1は、本発明に係る床補強部材の姿図。図2は、床板の姿図。図3は、断熱床補強部材の姿図。図4は、断熱床板の姿図。図5は、断熱床部材の姿図。図6は、床補強部材の断面詳細図。図7は、床板の断面詳細図。図8は、断熱床補強部材の断面詳細図。図9は、断熱床板の断面詳細図。図10は、断熱床部材の断面詳細図。図11は、コンクリート床盤の断面詳細図。図12は、断熱コンクリート床盤の断面詳細図。図13は、断熱床盤の断面詳細図である。
【００２２】
本実施形態の図面について説明すれば、図１は、連結部両側面に溝１を設けた床板２(40ｍｍ×120ｍｍ)の上に、110ｍｍの間隔を開けて補強床板３(床板と同じ)を併置して、床板２と補強床板３の両側面を鎹状のラチス部材４でラチス梁状に固定して成る床補強部材A、該床補強部材Aの姿図である。
【００２３】
図２は、連結部両側面に溝１を設けた床板２(40ｍｍ×120ｍｍ)の姿図である。
【００２４】
図３は、連結部両側面に溝１を設けた床板２(40ｍｍ×120ｍｍ)に、20ｍｍ厚の断熱材８を添え張りして成る断熱床板Dの上に、110ｍｍの間隔を開けて補強床板３(床板と同じ)を併置して、断熱床板Dと補強床板３の両側面を鎹状のラチス部材４でラチス梁状に固定して成る断熱床補強部材E、該断熱床補強部材Eの姿図である。
【００２５】
図４は、連結部両側面に溝１を設けた床板２(40ｍｍ×120ｍｍ)に、20ｍｍ厚の断熱材８を添え張りした断熱床板Dの姿図である。
【００２６】
図５は、連結部両側面に溝１を設けた床板２(40ｍｍ×120ｍｍ)と補強床板３(床板と同じ)で110ｍｍの断熱材８を挟み、床板２と補強床板３の両側面を鎹状のラチス部材４でラチス梁状に固定して成る断熱床部材G、該断熱床部材Gの姿図である。
【００２７】
図６は、床補強部材Aの断面詳細図である。
【００２８】
図７は、床板２の断面詳細図である。
【００２９】
図８は、断熱床補強部材Eの断面詳細図である。
【００３０】
図９は、断熱床板Dの断面詳細図である。
【００３１】
図１０は、断熱床部材Gの断面詳細図である。
【００３２】
図１１は、コンクリート床盤Cの断面詳細図である。
【００３３】
図１２は、断熱コンクリート床盤Fの断面詳細図である。
【００３４】
図１３は、断熱床盤Hの断面詳細図である。
【００３５】
以上、本発明の図１と図３については、従来のように大量の仮設材・組み手間・養生工期・解体・運搬・手入れ・保管等を必要としない、さらに、高度な技能を必要とすることなく多能工でも迅速且つ安全で容易に床の型枠Bや断熱床の型枠Iが構築できる。他方、図１１と図１２に示したように、床の型枠Bや断熱床の型枠I内にコンクリート７を打設して、コンクリート７の凝固によってコンクリート床盤Cや断熱コンクリート床盤Fが形成される。
【００３６】
さらに、本発明の図５については、従来のように大量の仮設材・組み手間・養生工期・解体・運搬・手入れ・保管等を必要としない、さらに、高度な技能を必要とすることなく多能工でも迅速且つ安全で容易に断熱床部材G、が形成できる。他方、図１３に示したように、断熱床部材G、を連結敷設することで断熱床盤Hが形成される。
【実施例１】
【００３７】
図１・２図６・７図１１を参照に、連結部両側面に溝１を設けた床板２(40ｍｍ×120ｍｍ)の上に、110ｍｍの間隔を開けて補強床板３(床板と同じ)を併置して、床板２と補強床板３の両側面を鎹状のラチス部材４でラチス梁状に固定して成る床補強部材A、該床補強部材Aと床板２を溝板５とビス６を用いて連結敷設して床の型枠Bを構成する。該床の型枠B内にコンクリート７を打設して、コンクリート７の凝固によってコンクリート床盤Cを形成する。該コンクリート床盤Cによって、高度な技能を必要とすることなく多能工が迅速且つ安全で容易に施工ができる。さらに、スラブの鉄筋量の削減や大量の仮設材・組み手間・養生工期・解体・運搬・手入れ・保管等が不要となる。
【実施例２】
【００３８】
図３・４図８・９図１２を参照に、連結部両側面に溝１を設けた床板２(40ｍｍ×120ｍｍ)に断熱材８を添え張りして成る断熱床板Dの上に、110ｍｍの間隔を開けて補強床板３を併置して、断熱床板Dと補強床板３の両側面を鎹状のラチス部材４でラチス梁状に固定して成る断熱床補強部材E、該断熱床補強部材Eと床板２を溝板５とビス６を用いて連結敷設して断熱床の型枠Iを構成する。該断熱床の型枠I内にコンクリート７を打設して、コンクリート７の凝固によって、断熱コンクリート床盤Fを形成する。該断熱コンクリート床盤Cによって、高度な技能を必要とすることなく多能工が迅速且つ安全で容易に施工ができる。さらに、スラブの鉄筋量の削減や大量の仮設材・組み手間・養生工期・解体・運搬・手入れ・保管等が不要となる。
【実施例３】
【００３９】
図５図１０図１３を参照に、連結部両側面に溝１を設けた床板２(40ｍｍ×120ｍｍ)と補強床板３で110ｍｍ厚の断熱材８を挟み、床板２と補強床板３の両側面を鎹状のラチス部材４でラチス梁状に固定して成る断熱床部材G、該断熱床部材Gを溝板５とビス６を用いて連結敷設して断熱床盤Hが形成される。該断熱床盤Hによって、高度な技能を必要とすることなく多能工が迅速且つ安全で容易に施工ができる。
【００４０】
なお、この発明において、実施例や図面に示した寸法や各部材は、一例を示したものであり、同様の機能を果たす公知の他の寸法部材に置き換えることは可能である。例えば床板についても強度が得られるものであれば発明を支障なく実施することができる。
【産業上の利用可能性】
【００４１】
現在、構築物のコンクリート床を構築する場合は解体を目的とした工法が大半で、スラブ型枠を仮設梁や鋼管支持ポストで支える工法の大量の仮設材が使用されているのが現状である。本発明の床を形成する床板ラチス梁は、打設荷重に耐える打込みスラブ型枠内にコンクリートを打設して、コンクリート床盤を構築するもので仮設材を必要としない工法であることから、高度な技能を必要とすることなく多能工でも迅速且つ安全な施工が容易で、鉄筋量の大幅削減や大量の仮設材・組み手間・養生工期・解体・運搬・手入れ・保管等が不要となる。さらに、多層階のコンクリート打設が可能になり工期と経費の削減が可能になる。今後は、本発明がコンクリートの構築工法を大きく変える可能性があり建設業界に極めて大きく貢献ができる。
【図面の簡単な説明】
【００４２】
【図１】本発明に係る床補強部材の姿図。
【図２】床板の姿図。
【図３】断熱床補強部材の姿図。
【図４】断熱床板の姿図。
【図５】断熱床部材の姿図。
【図６】床補強部材の断面詳細図。
【図７】床板の断面詳細図。
【図８】断熱床補強部材の断面詳細図。
【図９】断熱床板の断面詳細図。
【図１０】断熱床部材の断面詳細図。
【図１１】コンクリート床盤の断面詳細図。
【図１２】断熱コンクリート床盤の断面詳細図。
【図１３】断熱床盤の断面詳細図。
【符号の説明】
【００４３】
1.  溝
2.   床板
3.   補強床板
4.   鎹状のラチス部材
5.   溝板
6.   ビス
7.   コンクリート
8.   断熱材
A.  床補強部材
B.  床の型枠
C.  コンクリート床盤
D.  断熱床板
E.  断熱床補強部材
F.  断熱コンクリート床盤
G.  断熱床部材
H.  断熱床盤
I.  断熱床の型枠
【図１】
2019035250.tif 000003
【図２】
2019035250.tif 000004
【図３】
2019035250.tif 000005
【図４】
2019035250.tif 000006
【図５】
2019035250.tif 000007
【図６】
2019035250.tif 000008
【図７】
2019035250.tif 000009
【図８】
2019035250.tif 000010
【図９】
2019035250.tif 000011
【図１０】
2019035250.tif 000012
【図１１】
2019035250.tif 000013
【図１２】
2019035250.tif 000014
【図１３】
2019035250.tif 000015